(57)【要約】【課題】石油由来の材料の削減を図りつつ金属蒸着層を有する美粧紙を提供する。【解決手段】美粧紙１０は、原紙１１の表面にフィルム１３を貼り合わせたものである。フィルム１３は、バイオマスＰＥＴからなるフィルム層１４を有する。フィルム層１４の一方の面１４ａには金属蒸着層１５が設けられている。【選択図】図１
0003233561.tif 000002
【実用新案登録請求の範囲】
【請求項１】
原紙にフィルムを貼り合わせた美粧紙であって、
前記フィルムは、
バイオマスＰＥＴからなるフィルム層を有し、
前記フィルム層の一方の面には金属蒸着層が設けられていることを特徴とする美粧紙。
【請求項２】
前記フィルムの前記フィルム層の他方の面を接着剤層を介して前記原紙に貼り合わせるとともに、前記金属蒸着層の表面にアンカーコート層を設けたことを特徴とする請求項１記載の美粧紙。
【請求項３】
前記フィルムの前記金属蒸着層を接着剤層を介して前記原紙に貼り合わせるとともに、前記フィルム層の他方の面にアンカーコート層を設けたことを特徴とする請求項１記載の美粧紙。
【請求項４】
原紙の表面に接着剤層を介して金属蒸着層を設けるとともに、当該金属蒸着層の表面に配した剥離層の表面にアンカーコート層を設けたことを特徴とする美粧紙。
【請求項５】
前記金属蒸着層は、フィルム層の一方の面に金属蒸着層を形成したフィルムを前記原紙の表面に前記接着剤層を介して貼り合わせた後、前記フィルム層を除去することにより、前記原紙の表面に前記接着剤層を介して設けられることを特徴とする請求項４記載の美粧紙。
【考案の詳細な説明】
【技術分野】
【０００１】
本考案は美粧紙に関する。
【背景技術】
【０００２】
化粧品、医薬品等、高級製品の包装材には美粧紙が使用される。この種の美粧紙には、ポリエチレンテフレタート（以下、「ＰＥＴ」と記す）からなるフィルム層の表面にアルミなどの金属蒸着層を形成したものがある（特許文献１、特許文献２等、参照）。
【先行技術文献】
【特許文献】
【０００３】
【特許文献１】特開2020-157717号公報
【特許文献２】特開2019-042981号公報
【考案の概要】
【考案が解決しようとする課題】
【０００４】
近年、化石資源の使用による二酸化炭素排出量を削減する観点から、包装材に使用する石油由来の材料の削減が要望されている。この要望に応える上で、金属蒸着層の支持体となるフィルム層に紙を使用することができれば理想的である。しかし、金属を紙に蒸着した場合、フィルムに蒸着した場合と比較して輝度が劣る。更に、パッケージにした場合、罫線部に割れが発生しやすい。
【０００５】
そこで、本考案は、石油由来の材料の削減を図りつつ金属蒸着層を有する美粧紙を提供する。
【課題を解決するための手段】
【０００６】
上記課題を解決するために、本考案の美粧紙は、原紙にフィルムを貼り合わせた美粧紙であって、前記フィルムは、バイオマスＰＥＴからなるフィルム層を有し、前記フィルム層の一方の面には金属蒸着層が設けられていることを特徴とする。
【０００７】
上記構成によれば、フィルム層にバイオマスＰＥＴを使用したことにより、石油由来の材料の削減を図りつつ金属蒸着層を有する美粧紙を実現できる。したがって、この美粧紙を高級製品の包装材に使用することにより、石油由来の材料の削減を図りつつ、高級製品を美的外観を以て包装することが可能となる。また、この美粧紙をトレーディングカードやＰＯＰ（Ｐｏｉｎｔ  Ｏｆ  Ｐｕｒｃｈａｓｅ）関連の用紙に使用することにより、石油由来の材料の削減を図りつつ、高級感のあるトレーディングカードやＰＯＰ（Ｐｏｉｎｔ  Ｏｆ  Ｐｕｒｃｈａｓｅ）関連の用紙を実現できる。
【０００８】
本考案の美粧紙において、前記フィルムの前記フィルム層の他方の面を接着剤層を介して前記原紙に貼り合わせるとともに、前記金属蒸着層の表面にアンカーコート層を設けてもよい。この構成によれば、石油由来の材料の削減を図りつつ、金属蒸着層をアンカーコート層で被覆した、印刷適正に優れた美粧紙を実現できる。
【０００９】
本考案の美粧紙において、前記フィルムの前記金属蒸着層を接着剤層を介して前記原紙に貼り合わせるとともに、前記フィルム層の他方の面にアンカーコート層を設けてもよい。この構成によれば、石油由来の材料の削減を図りつつ、原紙とフィルム層との間に金属蒸着層を設け、フィルム層をアンカーコート層で被覆した、印刷適正に優れた美粧紙を実現できる。
【００１０】
本考案の美粧紙において、原紙の表面に接着剤層を介して金属蒸着層を設けるとともに、当該金属蒸着層の表面に配した剥離層の表面にアンカーコート層を設けてもよい。この構成によれば、フィルム層を有さず、金属蒸着層の表面に配した剥離層をアンカーコート層で直接被覆した美粧紙を実現できる。
【００１１】
本考案の美粧紙において、前記金属蒸着層は、フィルム層との間に剥離層を配しており、前記金属蒸着層と原紙の表面に前記接着層を介して貼り合わせた後、前記フィルム層を除去することが可能になる。この構成によれば、フィルム層を有さず、剥離層をアンカーコート層で直接被覆した美粧紙を容易に実現できる。
【考案の効果】
【００１２】
本考案によれば、石油由来の材料の削減を図りつつ金属蒸着層を有する美粧紙を実現できる。したがって、本考案は二酸化炭素排出量の削減に寄与し得る。
【図面の簡単な説明】
【００１３】
【図１】第１実施形態の美粧紙を概念的に例示する断面図である。
【図２】第２実施形態の美粧紙を概念的に例示する断面図である。
【図３】第３実施形態の美粧紙を概念的に例示する断面図である。
【図４】（Ａ）は図３に示す美粧紙の製造方法の一工程を例示する断面図である。（Ｂ）は（Ａ）の工程に続く一工程を例示する断面図である。
【考案を実施するための最良の形態】
【００１４】
本考案の一実施形態について、添付図面を用いて説明する。
［第１実施形態］
図１に例示する第１実施形態の美粧紙１０は、原紙１１と、原紙１１の表面に接着剤層１２を介して貼り合わせたフィルム１３とを有する。フィルム１３は、バイオマスＰＥＴからなるフィルム層１４と、フィルム層１４の一方の面１４ａに設けられた金属蒸着層１５とを有する。金属蒸着層１５の表面にはアンカーコート層１６が設けられている。バイオマスＰＥＴは、ＰＥＴ樹脂の粗原料である石油由来のモノエチレングリコールを植物由来のモノエチレングリコールに置き換えたものである。金属蒸着層１５はアルミ蒸着層である。アンカーコート層１６は、印刷適性を付与するための層である。
【００１５】
この美粧紙１０は、フィルム１３のフィルム層１４の他方の面１４ｂすなわち金属蒸着層１５が設けられていない方の面を、接着剤層１２を介して原紙１１に貼り合わせた後に、金属蒸着層１５の表面にアンカーコート層１６を設けることにより製造される。
【００１６】
上記構成によれば、フィルム層１４にバイオマスＰＥＴを使用したことにより、石油由来の材料の削減及び二酸化炭素排出量削減を図りつつ、金属蒸着層１５をアンカーコート層１６で被覆した美粧紙１０を実現できる。したがって、この美粧紙を高級製品の包装材に使用することにより、石油由来の材料の削減を図りつつ、高級製品を美的外観を以て包装することが可能となる。また、この美粧紙をトレーディングカードやＰＯＰ関連の用紙に使用することにより、石油由来の材料の削減を図りつつ、高級感のあるトレーディングカードやＰＯＰ関連の用紙を実現できる。
【００１７】
以下、第１実施形態と共通の構成要素については共通の符号を付し、その説明を適宜省略する。
［第２実施形態］
図２に例示する第２実施形態の美粧紙２０は、フィルム１３の金属蒸着層１５を接着剤層１２を介して原紙１１に貼り合わせるとともに、フィルム層１４の他方の面１４ｂにアンカーコート層１６を設けて構成される。
【００１８】
この構成によれば、石油由来の材料の削減を図りつつ、原紙１１とフィルム層１４との間に金属蒸着層１５を設け、フィルム層１４をアンカーコート層１６で被覆した美粧紙２０を実現できる。その他の作用効果は第１実施形態と同様である。
【００１９】
［第３実施形態］
図３に例示する第３実施形態の美粧紙３０は、原紙１１の表面に接着剤層１２を介して金属蒸着層１５を設けるとともに、金属蒸着層１５の表面に配した剥離層１７の表面にアンカーコート層１６を設けて構成される。
【００２０】
この構成によれば、フィルム層１４を有さず、剥離層１７をアンカーコート層１６で直接被覆した美粧紙３０を実現できる。その他の作用効果は第１実施形態と同様である。
【００２１】
この美粧紙３０は、図４に例示する方法により製造される。すなわち、図４（Ａ）に示すように、フィルム１３の剥離層１７及び金属蒸着層１５を、原紙１１の表面に接着剤層１２を介して貼り合わせた後、フィルム１３のフィルム層１４を除去する。この時点で、図４（Ｂ）に示すように、原紙１１の表面に接着剤層１２を介して剥離層１７及び金属蒸着層１５が設けられた状態になる。その剥離層１７の表面にアンカーコート層１６を設けることにより、図３に示す美粧紙３０が完成する。この方法によれば、フィルム層１４を有さず、剥離層１７をアンカーコート層１６で直接被覆した美粧紙３０を容易に製造できる。
【００２２】
なお、本発明は上記実施形態に限定されない。例えば、上記実施形態では、金属蒸着層１５はアルミ蒸着層であるとしたが、その他の金属蒸着層を用いることも可能である。
【符号の説明】
【００２３】
１０  美粧紙
１１  原紙
１２  接着剤層
１３  フィルム
１４  フィルム層
１４ａ  一方の面
１４ｂ  他方の面
１５  金属蒸着層
１６  アンカーコート層
１７  剥離層
１８  フィルム
２０  美粧紙
３０  美粧紙
【図１】
0003233561.tif 000003
【図２】
0003233561.tif 000004
【図３】
0003233561.tif 000005
【図４】
0003233561.tif 000006